(57)【要約】【課題】一台のリモコンで複数のゾーンのうち、いずれか一のゾーンでユーザが利用しようとし、あるいは、利用している被制御装置の操作を行う。【解決手段】一つのリモコン１２により前部座席ゾーンおよび後部座席ゾーンのいずれかでユーザが利用可能に被制御装置を制御するに際し、前部座席ゾーンを基本ゾーンとし、リモコン１２からの送信信号に基づいて、後部座席ゾーンを優先ゾーンとして選択し、当該優先ゾーンでユーザが利用している、あるいは、利用しようとする前記被制御装置を制御対象として、前記遠隔制御装置からの送信信号に基づいて制御を行うメインユニット１１と、を備える。【選択図】図１
2007324822.tif 000002
【特許請求の範囲】
【請求項１】
一つの遠隔制御装置により複数のゾーンのいずれかでユーザが利用可能に被制御装置を制御する制御装置であって、
前記複数のゾーンのうち、いずれか一のゾーンを基本ゾーンとし、
前記遠隔制御装置からの送信信号に基づいて、前記複数のゾーンから前記基本ゾーンを除いた他のゾーンのうち、いずれかを優先ゾーンとして選択するゾーン選択部と、
前記優先ゾーンが選択された場合に、当該優先ゾーンで前記ユーザが利用している、あるいは、利用しようとする前記被制御装置を制御対象として、前記遠隔制御装置からの送信信号に基づいて制御を行う制御部と、
を備えたことを特徴とする制御装置。
【請求項２】
請求項１記載の制御装置において、
前記制御部は、前記優先ゾーンが選択されていない場合に、前記基本ゾーンで前記ユーザが利用している、あるいは、利用しようとする前記被制御装置を制御対象として、前記遠隔制御装置からの送信信号に基づいて制御を行うことを特徴とする制御装置。
【請求項３】
請求項２記載の制御装置において、
前記遠隔制御装置からの送信信号は、前記優先ゾーンの選択時あるいは前記優先ゾーンの非選択時のいずれであっても同一の前記被制御装置に対するものは同一とされていることを特徴とする制御装置。
【請求項４】
請求項１ないし請求項３のいずれかに記載の制御装置において、
当該制御装置は、車載用であり、
前記複数のゾーンは、少なくとも、前部座席ゾーンおよび後部座席ゾーンを含むことを特徴とする制御装置。
【請求項５】
請求項１ないし請求項４のいずれかに記載の制御装置において、
前記被制御装置は、オーディオ再生装置、オーディオ記録装置、ビジュアル再生装置、ビジュアル記録装置、ラジオ受信装置あるいはテレビ受像装置のうち、少なくともいずれか複数を含み、
前記制御部は、前記優先ゾーンが選択された場合に当該優先ゾーンで前記ユーザが利用している、あるいは、利用しようとする前記被制御装置を制御対象として、前記遠隔制御装置からの送信信号に基づいて制御を行う、
ことを特徴とする制御装置。
【請求項６】
請求項１ないし請求項５のいずれかに記載の制御装置に対して前記送信信号を送信する遠隔制御装置であって、
前記送信信号として、前記優先ゾーンを選択するための優先ゾーン選択信号を送信する優先ゾーン選択信号送信部を備えたことを特徴とする遠隔制御装置。
【請求項７】
請求項６記載の遠隔制御装置であって、
ユーザが前記優先ゾーンを選択するための操作を行う選択操作部を備えたことを特徴とする遠隔制御装置。
【請求項８】
一つの遠隔制御装置により複数のゾーンのいずれかでユーザが利用可能に被制御装置を制御する制御装置の制御方法であって、
前記複数のゾーンのうち、いずれか一のゾーンを基本ゾーンとし、
前記遠隔制御装置からの送信信号に基づいて、前記複数のゾーンから前記基本ゾーンを除いた他のゾーンのうち、いずれかを優先ゾーンとして選択するゾーン選択過程と、
前記優先ゾーンが選択された場合に、当該優先ゾーンで前記ユーザが利用している、あるいは、利用しようとする前記被制御装置を制御対象として、前記遠隔制御装置からの送信信号に基づいて制御を行う制御過程と、
を備えたことを特徴とする制御装置の制御方法。
【請求項９】
請求項１ないし請求項８のいずれかに記載の制御装置に対して前記送信信号を送信するとともに、ユーザが前記優先ゾーンを選択するための操作を行う選択操作部を備えた遠隔制御装置の制御方法であって、
ユーザに前記選択操作部を介して前記優先ゾーンを選択させる優先ゾーン選択過程と、
選択させた前記優先ゾーンで前記ユーザが利用している、あるいは、利用しようとする前記非制御装置に対応する優先ゾーン選択信号を前記制御装置に送信する優先ゾーン選択信号送信過程と、
を備えたことを特徴とする遠隔制御装置の制御方法。
【請求項１０】
一つの遠隔制御装置により複数のゾーンのいずれかでユーザが利用可能に被制御装置を制御する制御装置をコンピュータにより制御するための制御プログラムであって、
前記複数のゾーンのうち、いずれか一のゾーンを基本ゾーンとし、
前記遠隔制御装置からの送信信号に基づいて、前記複数のゾーンから前記基本ゾーンを除いた他のゾーンのうち、いずれかを優先ゾーンとして選択させ、
選択された優先ゾーンでユーザが利用している、あるいは、利用しようとする前記被制御装置を制御対象として、前記遠隔制御装置からの送信信号に基づいて制御を行わせる、
ことを特徴とする制御プログラム。
【発明の詳細な説明】
【技術分野】
【０００１】
本発明は、被制御装置を制御するための制御装置、遠隔制御装置、制御方法および制御プログラムに係り、特にワンボックスカーなどの複数の居住空間（前部座席ゾーン、後部座席ゾーンなど）を有する車両に搭載され、被制御装置を制御するための制御装置、遠隔制御装置、制御方法および制御プログラムに関する。
【背景技術】
【０００２】
従来、ワンボックスカー等の車両において、後部座席においてもＤＶＤ（Digital Versatile Disk）などの映像ソース（および音声ソース）を楽しめるように、前部座席側に設置したモニタに加えて、後部座席側専用のモニタを配置した、車載用エンターテイメントシステムが提案されている（例えば、特許文献１参照）。
このような車載用エンターテイメントシステムにおいては、リモートコントロール装置（遠隔制御装置。以下、単にリモコンという。）により制御を行えるようにしたものもあある。
【特許文献１】特開２００５−２９７６０９号公報
【発明の開示】
【発明が解決しようとする課題】
【０００３】
ところで、このような車載用エンターテイメントシステムにおいては、狭い空間内での操作を前提としているため、リモコンは、前部座席側のナビゲーション操作およびＡＶ操作を行えるにとどまっていた。
このため、例えば、前部座席側でラジオを再生し、後部座席側でＤＶＤの再生を行っている場合に、リモコンによりＤＶＤの操作を行おうとしても、前部座席側のラジオの操作を行ってしまうこととなっていた。
そこで、本発明の目的は、一台のリモコンで複数のゾーンのうち、いずれか一のゾーンでユーザが利用しようとし、あるいは、利用している被制御装置の操作を行うことが可能な制御装置、遠隔制御装置、制御方法および制御プログラムを提供することにある。
【課題を解決するための手段】
【０００４】
上記課題を解決するため、一つの遠隔制御装置により複数のゾーンのいずれかでユーザが利用可能に被制御装置を制御する制御装置であって、前記複数のゾーンのうち、いずれか一のゾーンを基本ゾーンとし、前記遠隔制御装置からの送信信号に基づいて、前記複数のゾーンから前記基本ゾーンを除いた他のゾーンのうち、いずれかを優先ゾーンとして選択するゾーン選択部と、前記優先ゾーンが選択された場合に、当該優先ゾーンで前記ユーザが利用している、あるいは、利用しようとする前記被制御装置を制御対象として、前記遠隔制御装置からの送信信号に基づいて制御を行う制御部と、を備えたことを特徴としている。
上記構成によれば、ゾーン選択部は、前記遠隔制御装置からの送信信号に基づいて、複数のゾーンから前記基本ゾーンを除いた他のゾーンのうち、いずれかを優先ゾーンとして選択する。
【０００５】
これにより制御部は、優先ゾーンが選択された場合に、当該優先ゾーンでユーザが利用している、あるいは、利用しようとする被制御装置を制御対象として、遠隔制御装置からの送信信号に基づいて制御を行う。
この場合において、前記制御部は、前記優先ゾーンが選択されていない場合に、前記基本ゾーンで前記ユーザが利用している、あるいは、利用しようとする前記被制御装置を制御対象として、前記遠隔制御装置からの送信信号に基づいて制御を行うようにしてもよい。
また、前記遠隔制御装置からの送信信号は、前記優先ゾーンの選択時あるいは前記優先ゾーンの非選択時のいずれであっても同一の前記被制御装置に対するものは同一とされているようにしてもよい。
さらに、当該制御装置は、車載用であり、前記複数のゾーンは、少なくとも、前部座席ゾーンおよび後部座席ゾーンを含むようにしてもよい。
さらにまた、前記被制御装置は、オーディオ再生装置、オーディオ記録装置、ビジュアル再生装置、ビジュアル記録装置、ラジオ受信装置あるいはテレビ受像装置のうち、少なくともいずれか複数を含み、前記制御部は、前記優先ゾーンが選択された場合に当該優先ゾーンで前記ユーザが利用している、あるいは、利用しようとする前記被制御装置を制御対象として、前記遠隔制御装置からの送信信号に基づいて制御を行うようにしてもよい。
【０００６】
また、上記いずれかに記載の制御装置に対して前記送信信号を送信する遠隔制御装置であって、前記送信信号として、前記優先ゾーンを選択するための優先ゾーン選択信号を送信する優先ゾーン選択信号送信部を備えたことを特徴としている。
【０００７】
この場合において、ユーザが前記優先ゾーンを選択するための操作を行う選択操作部を備えるようにしてもよい。
また、一つの遠隔制御装置により複数のゾーンのいずれかでユーザが利用可能に被制御装置を制御する制御装置の制御方法であって、前記複数のゾーンのうち、いずれか一のゾーンを基本ゾーンとし、前記遠隔制御装置からの送信信号に基づいて、前記複数のゾーンから前記基本ゾーンを除いた他のゾーンのうち、いずれかを優先ゾーンとして選択するゾーン選択過程と、前記優先ゾーンが選択された場合に、当該優先ゾーンで前記ユーザが利用している、あるいは、利用しようとする前記被制御装置を制御対象として、前記遠隔制御装置からの送信信号に基づいて制御を行う制御過程と、を備えたことを特徴としている。
【０００８】
また、上記いずれかに記載の制御装置に対して前記送信信号を送信するとともに、ユーザが前記優先ゾーンを選択するための操作を行う選択操作部を備えた遠隔制御装置の制御方法であって、ユーザに前記選択操作部を介して前記優先ゾーンを選択させる優先ゾーン選択過程と、選択させた前記優先ゾーンで前記ユーザが利用している、あるいは、利用しようとする前記非制御装置に対応する優先ゾーン選択信号を前記制御装置に送信する優先ゾーン選択信号送信過程と、を備えたことを特徴としている。
【０００９】
また、一つの遠隔制御装置により複数のゾーンのいずれかでユーザが利用可能に被制御装置を制御する制御装置をコンピュータにより制御するための制御プログラムであって、前記複数のゾーンのうち、いずれか一のゾーンを基本ゾーンとし、前記遠隔制御装置からの送信信号に基づいて、前記複数のゾーンから前記基本ゾーンを除いた他のゾーンのうち、いずれかを優先ゾーンとして選択させ、選択された優先ゾーンでユーザが利用している、あるいは、利用しようとする前記被制御装置を制御対象として、前記遠隔制御装置からの送信信号に基づいて制御を行わせることを特徴としている。
【発明の効果】
【００１０】
本発明によれば、ゾーン選択部は、前記遠隔制御装置からの送信信号に基づいて、複数のゾーンから前記基本ゾーンを除いた他のゾーンのうち、いずれかを優先ゾーンとして選択し、制御部は、優先ゾーンが選択された場合に、当該優先ゾーンでユーザが利用している、あるいは、利用しようとする被制御装置を制御対象として、遠隔制御装置からの送信信号に基づいて制御を行うので、一つの遠隔制御装置で、基本ゾーンあるいは優先ゾーンでユーザが利用している、あるいは、利用しようとする被制御装置を制御することが可能となる。
【発明を実施するための最良の形態】
【００１１】
以下、図面を参照しつつ本発明の実施の形態について説明する。
図１は、実施形態にかかる車載用エンターテイメントシステムの概要構成ブロックズである。
車載用エンターテイメントシステム１０は、前部座席側に配置され、当該車載用エンターテイメントシステム１０全体を制御するためのメインユニット１１と、ユーザがメインユニット１１から離れた位置でメインユニット１１を遠隔制御するための制御信号（光信号）を送信するリモコン１２と、後部座席側に配置され、後部座席側の乗員に対する画像を表示するためのリアモニタ１３と、後部座席側の乗員が音声を楽しむための後部座席用ヘッドホン１４と、前部座席側に対して音声を出力するフロントスピーカ群１５と、を備えて構成されている。
メインユニット１１は、リモコン受光ユニット２１および前席側の乗員にナビゲーション画面を含む画像を表示するためのフロントモニタ２２と、メインユニット１１全体を制御するＣＰＵ２３と、各種制御プログラムを予め格納したＲＯＭ２４と、各種データを一時的に記憶するＲＡＭ２５と、各種電波を受信するためのアンテナ２６と、を備えている。
【００１２】
図２は、リモコンの操作パネルの説明図である。
リモコン１２の操作パネル１２Ａは、再生対象の音源を選択するためのソースキー３１と、再生音量を大きくさせるための音量アップキー３２と、再生音量を小さくさせるための音量ダウンキー３３と、トラック番号やプリセットチャンネル番号などを入力するための１０個の数字キーを備えたテンキー部３４と、目的のトラック（チャプタやオーディオトラック）を検索するためのサーチキー３５と、前画面の表示に戻るためのリターンキー３６と、メニューを表示するためのメニューキー３７と、各種設定を行う設定画面を表示するためのセットアップキー３８と、トップメニューを表示するためのトップメニューキー３９と、画面スクロールあるいはカーソル移動を行うための４個の移動キー４０-1〜４０-4と、アップキー４１と、ダウンキー４２と、リモコン１２を前部座席側用あるいは後部座席側用で切り替えるための２ゾーンキー４３と、オーディオメニューを表示するためのオーディオキー４４と、ＤＶＤのサブタイトルを表示するためのサブタイトルキー４５と、画面角度を変更するためのアングルキー４６と、を備えている。
この場合において、テンキー部３４の１０個の数字キーと、サーチキー３５と、リターンキー３６と、メニューキー３７と、セットアップキー３８と、トップメニューキー３９と、４個の移動キー４０-1〜４０-4と、オーディオキー４４と、サブタイトルキー４５と、アングルキー４６と、は、ＤＶＤ再生時の各種操作を行うＤＶＤ操作系キーＤＫＥＹとされている。
【００１３】
次に動作を説明する。
以下の説明においては、リモコン１２を後部座席側用とする動作モードを２ゾーンモードと呼び、リモコン１２を前部座席側用とする動作モードを通常モード（２ゾーンモードオフ状態）と呼ぶものとする。
本実施形態においては、リモコン１２は、動作モードが２ゾーンモードおよび通常モードのいずれであっても、同一の制御信号を送るだけであり、メインユニット１１側でも同一の制御信号を受信して制御対象をソフトウェア的に切り替えているだけであるので、機械的な構成を変更することなく、様々な制御態様に容易に対応することが可能となっている。
まず、２ゾーンモードと通常モードとの切替動作について説明する。
この場合に、ユーザは、２ゾーンキーの押し下げを行って、２ゾーンモードと通常モードとの切替動作行うこととなる。
【００１４】
図３は、２ゾーンキー押下処理の処理フローチャートである。
メインユニット１１は、リモコン受光ユニット２１を介してリモコン１２から２ゾーンキー４３が押し下げられた旨のコマンドが入力された場合には、２ゾーンキーが長押しされたか否かを判別する（ステップＳ１１）。
ステップＳ１１の判別において、２ゾーンキーが長押しされた場合には（ステップＳ１１；Ｙｅｓ）、現在の動作モードが２ゾーンモード（＝２ゾーンモードオン状態）であるか否かを判別する（ステップＳ１２）。
ステップＳ１２の判別において、現在の動作モードが２ゾーンモードではない場合には（ステップＳ１２；Ｎｏ）、メインユニット１１は、動作モードを２ゾーンモードに移行させ、処理を終了する（ステップＳ１３）。
ステップＳ１２の判別において、現在の動作モードが２ゾーンモード（＝２ゾーンモードオン状態）である場合には（ステップＳ１２；Ｙｅｓ）、動作モードを２ゾーンモードから通常モード（２ゾーンモードオフ状態）に移行させ、処理を終了する（ステップＳ１４）。
【００１５】
ステップＳ１１の判別において、２ゾーンキーが長押しされていない場合、すなわち、２ゾーンキーが短押しされた場合には（ステップＳ１１；Ｎｏ）、現在の動作モードが２ゾーンモード（＝２ゾーンモードオン状態）であるか否かを判別する（ステップＳ１５）。
ステップＳ１５の判別において、現在の動作モードが２ゾーンモードである場合には（ステップＳ１５；Ｙｅｓ）、メインユニット１１は、ソースキー３１が押された場合と同様に、後部座席側のソースをテレビとＤＶＤとの間で切り替えて処理を終了する（ステップＳ１６）。
ステップＳ１５の判別において、現在の動作モードが２ゾーンモード（＝２ゾーンモードオン状態）ではない場合には（ステップＳ１５；Ｎｏ）、何も行わず、処理を終了する。
【００１６】
図４は、ソースキー押下処理の処理フローチャートである。
メインユニット１１は、リモコン受光ユニット２１を介してリモコン１２からソースキー３１が押し下げられた旨のコマンドが入力された場合には、現在の動作モードが２ゾーンモード（＝２ゾーンモードオン状態）であるか否かを判別する（ステップＳ２１）。
ステップＳ２１の判別において、現在の動作モードが２ゾーンモードではない場合には（ステップＳ２１；Ｎｏ）、フロントモニタ２２に前部席側の再生対象の音源（ソース）を切り替えるための画面を表示して処理を終了する（ステップＳ２２）。
【００１７】
ステップＳ２１の判別において、現在の動作モードが２ゾーンモードである場合には（ステップＳ２１；Ｙｅｓ）、何もせず、処理を終了する。
以上の説明では、リアモニタ１３後部席側の再生対象の音源（ソース）を切り替えるための画面は、図３のステップＳ１６で行うようにしていたが、現在の動作モードが２ゾーンモードである場合には（ステップＳ２１；Ｙｅｓ）、リアモニタ１３後部席側の再生対象の音源（ソース）を切り替えることが可能なように構成することも可能である。
この場合には、図３のステップＳ１５およびステップＳ１６の処理を行わないようにすればよい。
【００１８】
図５は、音量アップキーあるいは音量ダウンキー押下処理の処理フローチャートである。
メインユニット１１は、リモコン受光ユニット２１を介してリモコン１２から音量アップキー３２あるいは音量ダウンキー３３が押し下げられた旨のコマンドが入力された場合には、現在の動作モードが２ゾーンモード（＝２ゾーンモードオン状態）であるか否かを判別する（ステップＳ３１）。
ステップＳ３１の判別において、現在の動作モードが２ゾーンモードではない場合には（ステップＳ３１；Ｎｏ）、フロントスピーカ群１５の出力音量の制御処理を行い、処理を終了する（ステップＳ３２）。
ステップＳ３１の判別において、現在の動作モードが２ゾーンモードである場合には（ステップＳ３１；Ｙｅｓ）、何もせず、処理を終了する。
【００１９】
図６は、サーチキー押下処理の処理フローチャートである。
メインユニット１１は、リモコン受光ユニット２１を介してリモコン１２からサーチキー３５が押し下げられた旨のコマンドが入力された場合には、現在の動作モードが２ゾーンモード（＝２ゾーンモードオン状態）であるか否かを判別する（ステップＳ４１）。
ステップＳ４１の判別において、現在の動作モードが２ゾーンモードではない場合には（ステップＳ４１；Ｎｏ）、メインユニット１１は、前部席側の再生対象の音源（ソース）がＤＶＤであるか否かを判別する（ステップＳ４２）。
【００２０】
ステップＳ４２の判別において、前部席側の再生対象の音源（ソース）がＤＶＤである場合には（ステップＳ４２；Ｙｅｓ）、メインユニット１１のフロントモニタ２２の表示画面にＤＶＤサーチ画面を表示して待機状態となる（ステップＳ４３）。
ステップＳ４２の判別において、前部席側の再生対象の音源（ソース）がＤＶＤではない場合には（ステップＳ４２；Ｎｏ）、何も行わずに処理を終了する。
ステップＳ４１の判別において、現在の動作モードが２ゾーンモード（＝２ゾーンモードオン状態）である場合には（ステップＳ４１；Ｙｅｓ）、何も行わずに処理を終了する。
【００２１】
図７は、セットアップキー押下処理の処理フローチャートである。
メインユニット１１は、リモコン受光ユニット２１を介してリモコン１２からセットアップキー３８が押し下げられた旨のコマンドが入力された場合には、現在の動作モードが２ゾーンモード（＝２ゾーンモードオン状態）であるか否かを判別する（ステップＳ５１）。
ステップＳ５１の判別において、現在の動作モードが２ゾーンモードではない場合には（ステップＳ５１；Ｎｏ）、メインユニット１１は、前部席側の再生対象の音源（ソース）がＤＶＤであるか否かを判別する（ステップＳ５２）。
【００２２】
ステップＳ５２の判別において、前部席側の再生対象の音源（ソース）がＤＶＤである場合には（ステップＳ５２；Ｙｅｓ）、メインユニット１１のフロントモニタ２２の表示画面にＤＶＤセットアップ画面を表示して待機状態となる（ステップＳ５３）。
ステップＳ５２の判別において、前部席側の再生対象の音源（ソース）がＤＶＤではない場合には（ステップＳ５２；Ｎｏ）、何も行わずに処理を終了する。
ステップＳ５１の判別において、現在の動作モードが２ゾーンモード（＝２ゾーンモードオン状態）である場合には（ステップＳ５１；Ｙｅｓ）、何も行わずに処理を終了する。
【００２３】
図８は、ＤＶＤ操作系のキー押下処理の処理フローチャートである。
メインユニット１１は、リモコン受光ユニット２１を介してリモコン１２からテンキー部３４の１０個の数字キー、サーチキー３５、リターンキー３６、メニューキー３７、セットアップキー３８、トップメニューキー３９、４個の移動キー４０-1〜４０-4、オーディオキー４４、サブタイトルキー４５あるいはアングルキー４６のいずれかのキー、すなわち、が押し下げられた旨のコマンドが入力された場合には、前部座席側あるいは後部座席側の再生ソースがＤＶＤであるか否かを判別する（ステップＳ６１）。
【００２４】
ステップＳ６１の判別において、前部座席側および後部座席側の再生ソースがＤＶＤではない場合には（ステップＳ６１；Ｎｏ）、処理を終了する。
ステップＳ６１の判別において、前部座席側および後部座席側の再生ソースがＤＶＤである場合には（ステップＳ６１；Ｙｅｓ）、操作されたキーに対応する所定のＤＶＤ操作制御処理を行って、処理を終了する（ステップＳ６２）。
【００２５】
図９は、アップキー／ダウンキー押下処理の処理フローチャートである。
メインユニット１１は、リモコン受光ユニット２１を介してリモコン１２からアップキー４１あるいはダウンキー４２が押し下げられた旨のコマンドが入力された場合には、現在の動作モードが２ゾーンモード（＝２ゾーンモードオン状態）であるか否かを判別する（ステップＳ７１）。
ステップＳ７１の判別において、現在の動作モードが２ゾーンモードではない場合には（ステップＳ７１；Ｎｏ）、メインユニット１１は、前部席側の再生対象の音源（ソース）に対するアップ／ダウン制御処理を行う（ステップＳ７２）。
【００２６】
図１０は、前部席側のアップ／ダウン制御処理の処理フローチャートである。
まず、メインユニット１１は、前部席側の再生対象の音源（ソース）がラジオ、ＤＶＤ、テレビ、…のいずれであるかを判別する（ステップＳ８１）。
ステップＳ８１の判別において、前部席側の再生対象の音源（ソース）がラジオである場合には、ラジオのプリセットチャンネルのアップ／ダウンを行うアップ／ダウン制御処理を行う（ステップＳ８２）。
ステップＳ８１の判別において、前部席側の再生対象の音源（ソース）がＤＶＤである場合には、再生対象のチャプタ番号のアップ／ダウンを行うアップ／ダウン制御処理を行う（ステップＳ８３）。
【００２７】
ステップＳ８１の判別において、前部席側の再生対象の音源（ソース）がテレビである場合には、テレビのプリセットチャンネルのアップ／ダウンを行うアップ／ダウン制御処理を行う（ステップＳ８４）。
以下、同様に前部席側の再生対象の音源（ソース）に対応するアップ／ダウン処理を行うこととなる。
ステップＳの判別において、現在の動作モードが２ゾーンモードである場合には（ステップＳ７１；Ｙｅｓ）、メインユニット１１は、後部席側の再生対象の音源（ソース）に対するアップ／ダウン制御処理を行う（ステップＳ７３）。
【００２８】
図１１は、後部席側のアップ／ダウン制御処理の処理フローチャートである。
まず、メインユニット１１は、後部席側の再生対象の音源（ソース）がＤＶＤあるいはテレビのいずれであるかを判別する（ステップＳ９１）。
ステップＳ９１の判別において、後部席側の再生対象の音源（ソース）がＤＶＤである場合には、再生対象のチャプタ番号のアップ／ダウンを行うアップ／ダウン制御処理を行って処理を終了する（ステップＳ９２）。
ステップＳ９１の判別において、後部席側の再生対象の音源（ソース）がテレビである場合には、テレビのプリセットチャンネルのアップ／ダウンを行うアップ／ダウン制御処理を行って処理を終了する（ステップＳ９３）。
以下、同様に前部席側の再生対象の音源（ソース）に対応するアップ／ダウン処理を行うこととなる。
【００２９】
以上の説明のように、本実施形態によれば、現在の動作モードが２ゾーンモードである場合には、すなわち、前部座席側と後部座席側とで異なる音源（ソース）を再生している場合には、リモコンは後部座席側用のリモコンとなり、後部座席側でリモコンを用いて操作が可能となる。
これに対して、現在の動作モードが２ゾーンモードではない場合には、リモコンは前部座席側用のリモコンとなり、前部座席側でリモコンを用いて操作が可能となる。
これらの場合において、リモコンとメインユニットとの間でやりとりされる信号は、動作モードに関係なく同一で良いので、構成（送信データの種類、メモリ容量など）を簡略化することが可能となる。
【００３０】
以上の説明は、一つのリモコン（遠隔制御装置）により２つのゾーン（前部座席側ゾーンおよび後部座席側ゾーン）のそれぞれに配置されたモニタ、スピーカ群、ヘッドホン（被制御装置）のいずれかを制御するように構成していたが、複数のゾーンのうち、いずれか一のゾーンを基本ゾーン（実施形態における前部座席側ゾーンに相当）とし、リモコン（遠隔制御装置）からの送信信号に基づいて、複数のゾーンから基本ゾーンを除いた他のゾーンのうち、いずれかを優先ゾーン（実施形態における後部座席側ゾーンに相当）として選択し、優先ゾーンが選択された場合に、当該優先ゾーンに配置された被制御装置を制御対象として、リモコンからの送信信号に基づいて制御を行うように構成することが可能である。この場合には、ユーザが基本ゾーン以外のゾーンのうち、いずれが優先ゾーンであるかを明示的に指示する必要がある。
【００３１】
この構成によっても、複数のゾーンから優先ゾーンを選択した場合には、一つのリモコンを用いる場合でも、当該優先ゾーン専用のリモコンとして使え、優先ゾーンを選択していない場合には、当該リモコンを基本ゾーン専用のリモコンとして使えるため、リモコンの活用範囲を広げることが可能となる。
【００３２】
以上の説明においては、２ゾーンモードへの移行はリモコン側で行う構成としていたが、メインユニット側でも行えるように構成することも可能である。このような構成とすることにより、なんらリモコン側の構成を変えることなく、後部座席側用のリモコンとして用いることが可能となる。
【図面の簡単な説明】
【００３３】
【図１】実施形態にかかる車載用エンターテイメントシステムの概要構成ブロックズである。
【図２】リモコンの操作パネルの説明図である。
【図３】２ゾーンキー押下処理の処理フローチャートである。
【図４】ソースキー押下処理の処理フローチャートである。
【図５】音量アップキーあるいは音量ダウンキー押下処理の処理フローチャートである。
【図６】サーチキー押下処理の処理フローチャートである。
【図７】セットアップキー押下処理の処理フローチャートである。
【図８】ＤＶＤ操作系のキー押下処理の処理フローチャートである。
【図９】アップキー／ダウンキー押下処理の処理フローチャートである。
【図１０】前部席側のアップ／ダウン制御処理の処理フローチャートである。
【図１１】後部席側のアップ／ダウン制御処理の処理フローチャートである。
【符号の説明】
【００３４】
１０…車載用エンターテイメントシステム、１１…メインユニット、１２…リモコン、１３…リアモニタ、１４…後部座席用ヘッドホン、１５…フロントスピーカ群。
２１…リモコン受光ユニット、２２…フロントモニタ、２３…ＣＰＵ、２４…ＲＯＭ、２５…ＲＡＭ、２６…アンテナ。
【図１】
2007324822.tif 000003
【図２】
2007324822.tif 000004
【図３】
2007324822.tif 000005
【図４】
2007324822.tif 000006
【図５】
2007324822.tif 000007
【図６】
2007324822.tif 000008
【図７】
2007324822.tif 000009
【図８】
2007324822.tif 000010
【図９】
2007324822.tif 000011
【図１０】
2007324822.tif 000012
【図１１】
2007324822.tif 000013